(57)【特許請求の範囲】
【請求項１】
軸筒と、該軸筒の少なくとも一端側に設けられた筆記部と、前記筆記部を保護するようにして前記軸筒に対し着脱可能に装着されたキャップとを備えたキャップ付き筆記具において、
前記キャップは、前記筆記部の周囲を覆う内キャップと、該内キャップに対しその外周側に間隔を置いて設けられた外キャップとを一体的に具備するとともに、前記外キャップの周壁に、外方からの押圧操作によりキャップ内側へ変形可能な変形部を有し、前記変形部のキャップ内側への変形により前記軸筒から離脱するように構成され、
前記変形部と前記内キャップとの間には、これらの間への前記筆記部の挿入を阻む挿入阻止部が設けられ、この挿入阻止部は、キャップ内側へ変形した際の前記変形部に押圧されて弾性変形することを特徴とするキャップ付き筆記具。
【請求項２】
前記挿入阻止部には、前記筆記部を前記内キャップ内へ案内するように軸筒側へ向かって拡径するガイド部が設けられ、前記ガイド部は、キャップ内側へ変形した際の前記変形部に押圧されて軸筒中心側へ撓むようにして弾性変形することを特徴とする請求項１記載のキャップ付き筆記具。
【請求項３】
前記挿入阻止部は、前記内キャップに接続された接続部と、該接続部から延設された前記ガイド部とを具備し、前記ガイド部の自由端側を、前記変形部の内面に対し、近接又は接触させていることを特徴とする請求項２記載のキャップ付き筆記具。
【請求項４】
前記ガイド部を周方向に分割するようにして、前記筆記部を挿通不能な幅のスリットを設けたことを特徴とする請求項２又は３記載のキャップ付き筆記具。
【発明の詳細な説明】
【技術分野】
【０００１】
本発明は、フェルトペン、ボールペン、サインペン、マーカーペン、シャープペンシル、筆ペン、万年筆、多機能ペン、修正ペン等を含む、着脱可能なキャップが装着されたキャップ付き筆記具に関するものである。
【背景技術】
【０００２】
従来、キャップ付き筆記具は、そのキャップを外す際の衝撃で、インクが飛び散る等の問題があり、特にインク吐出量が比較的多い直液式筆記具において前記問題が著しかった。そこで、キャップと筆記具本体の嵌合力を弱めに設定することも考えられるが、このようにした場合には、キャップが不用意に外れてしまったり、振動や温度等の影響で流出したインクが、キャップと筆記具本体の間の嵌合箇所から洩れたり等することが懸念される。
このような問題を解決するために、例えば、特許文献１に記載の発明では、側面に、内側へ撓み可能な変形部（操作体１４）と該変形部の自由端側で外方へ突出する釦部（１５）とを有するとともに、内部に、筆記部（チップ４）を気密する内キャップ（１０）を有する二重筒状のキャップ（１）を備え、釦部（１５）が押圧されて変形部（操作体１４）が内側へ撓んだ際に、該変形部（操作体１４）の内面を、筆記具本体（２）の前端側の傾斜部（１２）に摺接させて、キャップ（１）が前方へ押し出されるようにしている。
【０００３】
ところで、前記従来技術によれば、軸筒に対しキャップ（１）を装着する際に、筆記部（チップ４）が、キャップ（１）の外周壁と内キャップ（１０）との間に入り込んで、筆記部（チップ４）を損傷させてしまうおそれがある。
そこで、同特許文献１の第２実施例（図３参照）では、変形部（操作体２７）内面側の当接部（２６）の内キャップ（２２）に近い部分（２６ａ）を、内キャップ（２２）に嵌合される嵌合部（２８）と略同径にして、当接部（２６）を、チップ（４）周りを内キャップ（２２）内へ挿入する際のガイド役として兼用している。
【０００４】
しかしながら、前記従来の第２実施例においても、特許文献１の図３に示されるように、当接部（２６）の内キャップ（２２）に近い部分（２６ａ）と嵌合部（２８）との間に隙間が形成されるため、例えば、筆記部（チップ３）が斜めに挿入された場合等には、前記隙間に筆記部（チップ３）が侵入してしまう可能性がある。そこで、前記近い部分（２６ａ）を延ばして前記隙間を小さくすることも考えられるが、この場合には、前記近い部分（２６ａ）が嵌合部（２８）に干渉して、変形部（操作体２７）の変形に支障をきたすおそれがある。
【先行技術文献】
【特許文献】
【０００５】
【特許文献１】特開平９−１９８１号公報
【発明の概要】
【発明が解決しようとする課題】
【０００６】
本発明は上記従来事情に鑑みてなされたものであり、その課題とする処は、筆記部がキャップの外周壁と内キャップの間に侵入するのを防ぐことができる上、キャップを外す操作を行うための変形部の変形に支障をきたすことがなく、キャップを容易に取り外すことができるキャップ付き筆記具を提供することにある。
【課題を解決するための手段】
【０００７】
上記課題を解決するための一手段は、軸筒と、該軸筒の少なくとも一端側に設けられた筆記部と、前記筆記部を保護するようにして前記軸筒に対し着脱可能に装着されたキャップとを備えたキャップ付き筆記具において、前記キャップは、前記筆記部の周囲を覆う内キャップと、該内キャップに対しその外周側に間隔を置いて設けられた外キャップとを一体的に具備するとともに、前記外キャップの周壁に、外方からの押圧操作によりキャップ内側へ変形可能な変形部を有し、前記変形部のキャップ内側への変形により前記軸筒から離脱するように構成され、前記変形部と前記内キャップとの間には、これらの間への前記筆記部の挿入を阻む挿入阻止部が設けられ、この挿入阻止部は、キャップ内側へ変形した際の前記変形部に押圧されて弾性変形することを特徴とする。
【発明の効果】
【０００８】
本発明は、以上説明したように構成されているので、筆記部がキャップの外周壁と内キャップの間に侵入するのを防ぐことができる上、変形部に対しキャップを外すための操作を行った際には、挿入阻止部が変形するため、変形部の変形に支障をきたすことがなく、キャップを容易に取り外すことができる。
【図面の簡単な説明】
【０００９】
【図１】本発明に係るキャップ付き筆記具の一例を示す断面図である。
【図２】（ａ）はキャップ本体部の一例を示す平面図、（ｂ）は（ａ）に対する正面図である。
【図３】キャップ本体部に対し挿入阻止部を装着する前の状態を示す判断面図である。
【図４】挿入阻止部の一例を軸後方側から視た図である。
【図５】（ａ）はキャップを軸筒に装着した状態を示す要部拡大図、（ｂ）は変形部に押圧力が加わってキャップが軸筒から外された状態を示す要部拡大図である。
【図６】図２における（VI）−（VI）線端面図であり、（ａ）は変形部に押圧力が加わっていない状態を示し、（ｂ）は変形部に押圧力が加わった状態を示す。
【発明を実施するための形態】
【００１０】
本実施の形態における第一の特徴は、軸筒と、該軸筒の少なくとも一端側に設けられた筆記部と、前記筆記部を保護するようにして前記軸筒に対し着脱可能に装着されたキャップとを備えたキャップ付き筆記具において、前記キャップは、前記筆記部の周囲を覆う内キャップと、該内キャップに対しその外周側に間隔を置いて設けられた外キャップとを一体的に具備するとともに、前記外キャップの周壁に、外方からの操作によりキャップ内側へ変形可能な変形部を有し、前記変形部のキャップ内側への変形により前記軸筒から離脱するように構成され、前記変形部と前記内キャップとの間には、これらの間への前記筆記部の挿入を阻む挿入阻止部が設けられ、この挿入阻止部は、キャップ内側へ変形した際の前記変形部に押圧されて弾性変形する。
この構成によれば、軸筒にキャップを装着する際に筆記部が変形部と内キャップの間へ向かったとしても、これらの間へ筆記部が侵入しようとするのを挿入阻止部によって阻むことができる。しかも、軸筒からキャップを外すために、変形部を押圧操作した際には、挿入阻止部が変形部に押されて弾性変形するため、変形部の変形が挿入阻止部によって妨げられるようなことがない。
【００１１】
第二の特徴としては、前記挿入阻止部には、前記筆記部を前記内キャップ内へ案内するように軸筒側へ向かって拡径するガイド部が設けられ、前記ガイド部は、キャップ内側へ変形した際の前記変形部に押圧されて軸筒中心側へ撓むようにして弾性変形する。
この構成によれば、ガイド部によって筆記部を内キャップ内へスムーズに導くことができる上、変形部の変形・復元に伴って、挿入阻止部を容易に撓み変形・復元させることができる。
【００１２】
第三の特徴としては、前記挿入阻止部は、前記内キャップに接続された接続部と、該接続部から延設された前記ガイド部とを具備し、前記ガイド部の自由端側を、前記変形部の内面に対し、近接又は接触させている。
この構成によれば、変形部の変形・復元に伴って、ガイド部の自由端側が、変形部の内面に接触して滑る。したがって、変形部が変形する際にガイド部が抵抗になることを効果的に低減することができる。
【００１３】
第四の特徴としては、前記ガイド部を周方向に分割するようにして、前記筆記部を挿通不能な幅のスリットを設けた。
この構成によれば、スリットによってガイド部の剛性を軽減し、該ガイド部を撓み変形し易くすることができ、ひいては、変形部が変形する際にガイド部が抵抗になることをより効果的に低減することができる。
【００１４】
なお、本明細書中、「キャップ軸方向」とは、キャップの軸心（中心）が延びる方向を意味する。また、「キャップ径方向」とは、前記キャップ軸方向に略直交する方向を意味する。「軸筒軸方向」とは、軸筒の軸心（中心）が延びる方向を意味し、前記キャップ軸方向と同方向である。また、「キャップ径外方向」とは、前記キャップ径方向において軸心から離れる方向を意味する。
【００１５】
以下、上記形態の特に好ましい実施例を、図面に基づいて詳細に説明する。
【実施例】
【００１６】
図１は、本発明に係るキャップ付き筆記具の一例を示している。
このキャップ付き筆記具１は、長尺筒状の軸筒１０と、該軸筒１０の前端側に着脱可能に接続されるキャップ２０とを備え、キャップ２０の周壁に、外方からの押圧操作によりキャップ内側へ変形可能な変形部２１ｂ１を設け、キャップ内側へ変形した際の前記変形部２１ｂ１により軸筒１０を押圧して、前記キャップ２０が前記軸筒１０から外されるようにしている。
このキャップ付き筆記具１は、軸筒１０内の中綿４０に充填されたインクを、毛細管力により前方へ導き筆記部３０の前端から吐出するように構成される。
【００１７】
軸筒１０は、前軸１１と後軸１２とを接続してなる一体筒状に構成される。なお、この軸筒１０の他例としては、単一の筒状部材からなる態様や、３つ以上の筒体を接続してなる態様とすることも可能である。
【００１８】
前軸１１の外周面の前端側には、先窄み状の傾斜面１１ａが形成されている。この傾斜面１１ａは、前方（図１によれば左方向）へ向かって徐々に縮径された略円錐状の面である。
前軸１１における前記傾斜面１１ａよりも前側の部分には、小径状の筒部１１ｂが形成され、この筒部１１ｂの外周面は、後述するキャップ２０の内キャップの内面に対し全周にわたって密接してインク洩れを防止する。
前軸１１における前記傾斜面１１ａよりも後側の部分は、キャップ２０に嵌り合う大径筒状に形成され、この筒状部分の外周面には、キャップ２０をキャップ軸方向へ乗り越えさせて嵌合する環状突起１１ｃが形成される。
前軸１１における環状突起１１ｃよりも後ろ側には、キャップ２０の後端縁に当接して該後端縁を受ける環状凸部１１ｄが設けられる。そして、前軸１１における環状凸部１１ｄよりも更に後側の部分は、後軸１２の前端開口部に挿入され嵌合接続されている。
また、前軸１１内周面における前端側には、後軸１２内から前方へ吐出されるインクを一時的に貯溜するインク貯溜溝１１ｅが設けられる。このインク貯溜溝１１ｅは、軸筒軸方向へ連続する溝であり、周方向に間隔を置いて複数設けられる。
【００１９】
後軸１２は、後端部を閉鎖した有底筒状に形成され、前軸１１の後端部に嵌合接続されている。
【００２０】
キャップ２０は、図３に示すように、二重筒状のキャップ本体部２１と、該キャップ本体部２１における内キャップ２１ａと外キャップ２１ｂの間への筆記部３０の挿入を阻む挿入阻止部２２とから構成される。
【００２１】
キャップ本体部２１は、筆記部３０の周囲を覆うようにして設けられた小径筒状の内キャップ２１ａと、内キャップ２１ａに対しその外周側に間隔を置いて設けられた外キャップ２１ｂとを有する二重筒状に一体成形されている。
内キャップ２１ａは、前軸１１前端側の小径な筒部１１ｂよりも一回り程大きい筒状に形成され、その後端側の内周面には、前記筒部１１ｂの前端側外周面に密接してインク洩れを防ぐ環状突起２１ａ１を有する。
【００２２】
外キャップ２１ｂは、有底筒状に形成され、その周壁には、外方からの押圧操作により自由端側をキャップ内へ弾性的に撓み変形可能な変形部２１ｂ１が設けられる。
変形部２１ｂ１の外表面は、外キャップ２１ｂ外周面における最大径部分（但し、突起２１ｈを含まない最大径部分）と略面一、又は前記最大径部分よりも凹んで設けられる。換言すれば、変形部２１ｂ１は、外キャップ２１ｂ外周面における前記最大径部分よりも径外方向へ突出しないように設けられる。
【００２３】
変形部２１ｂ１は、キャップ本体部２１の周壁に、該周壁をキャップ径方向貫通する平面視略凹状（図２（ｂ）参照）の切欠部２１ｂ２を設けることで、この切欠部２１ｂ２の内側に形成された方持ち梁状の部分であり、その基端側に対する逆端側（図１〜３によれば右端側）の自由端部を、軸筒後方（図示の右方）へ向けている。
切欠部２１ｂ２及び変形部２１ｂ１は、図示例によれば、軸心を挟んで対向するように二つ設けられる。
【００２４】
各変形部２１ｂ１は、弓なりに弾性変形可能な縦断面凹状に形成され、キャップ内側へ変形した際に、自由端側（図示の右端側）の内縁によって軸筒１０先端側の傾斜面１１ａを押圧する。
この変形部２１ｂ１の自由端部の外表面は、外キャップ２１ｂにおける後端側（図示の右端側）の外表面（突起２１ｈ以外の部分における最大径部分）と、略面一になっている。
この変形部２１ｂ１は、キャップ軸方向において、縦断面凹状の部分の中央側が、キャップ内側へ凹むようにして、その両側の部分よりも徐々に薄肉になるように形成される（図１〜３参照）。この構成によれば、変形部２１ｂ１の中央側が押圧された際に、該変形部２１ｂ１を効果的に弓なり変形させることができる。
【００２５】
そして、変形部２１ｂ１の凹状の表面には、指ｆの滑り止めになるとともに変形部２１ｂ１の変形を促進するように、複数の凹凸条２１ｂ１２が設けられる。
この凹凸条２１ｂ１２は、キャップ軸方向に直交する方向の突条と凹溝を交互に並べることで形成される。
【００２６】
また、変形部２１ｂ１の自由端部の内縁には、軸筒１０先端側の傾斜面１１ａに摺接可能な凹凸部２１ｅが設けられる。この凹凸部２１ｅは、図示例によれば、変形部２１ｂ１の自由端部の内縁を、断面略階段状に形成することで形成される。
この構成によれば、変形部２１ｂ１がキャップ内側へ撓んだ際に、変形部２１ｂ１の自由端部の内縁側の凹凸部２１ｅを、軸筒１０先端側の傾斜面１１ａに安定的に接触させることができ、変形部２１ｂ１を撓ませてキャップ２０を外す際の操作を良好に行うことができる。
【００２７】
そして、外キャップ２１ｂの外表面における変形部２１ｂ１（詳細には、凹状の切欠部２１ｂ２）に隣接する部分には、押圧操作のための指ｆを逃すために、変形部２１ａの外表面よりもキャップ内側へ凹んだ第１及び第２の逃し凹部２１ｂ３，２１ｂ４が設けられる。
【００２８】
第１の逃し凹部２１ｂ３は、変形部２１ｂ１の自由端部に対し、切欠部２１ｂ２を間に置いて、その後方側（図１〜３及び５によれば右方側）から隣接するようにして、外キャップ２１ｂ周壁の外表面に設けられている。そして、この第１の逃し凹部２１ｂ３は、図示例によれば、前方へ向かってキャップ内側へ傾斜する傾斜面状に形成される。
【００２９】
第２の逃し凹部２１ｂ４は、変形部２１ｂ１の両側端部に対し、切欠部２１ｂ２を間において、その両側から隣接するように、外キャップ２１ｂ周壁の外表面に設けられている（図２（ｂ）参照）。換言すれば、この第２の逃し凹部２１ｂ４は、変形部２１ｂ１及び切欠部２１ｂ２を、キャップ周方向の両側から挟むようにして二つ配設される。
図示例についてより詳細に説明すれば、各第２の逃し凹部２１ｂ４は、キャップ内側へ凹む略円弧状に形成される（図２（ａ）参照）。この第２の逃し凹部２１ｂ４のキャップ軸方向の長さは、変形部２１ｂ１表面の凹状部分を全て含む長さに設定される。
【００３０】
また、外キャップ２１ｂには、必要に応じて、切欠部２１ｂ２を跨るようにして変形部２１ｂ１を覆う弾性被覆部２３が設けられる（図２（ａ）参照）。
この弾性被覆部２３は、エラストマー樹脂等の弾性を有する合成樹脂材料の被膜であり、キャップ本体部２１を成形する際に同時成形（二色成形）される。
【００３１】
なお、弾性被覆部２３は、図示例では、外キャップ２１ｂの周方向及び軸方向において部分的に設けられて、変形部２１ｂ１及び切欠部２１ｂ２を覆うようにしているが、他例としては、変形部２１ｂ１及び切欠部２１ｂ２を部分的に覆う筒状に形成された態様や、外キャップ２１ｂの外面を全て覆う態様等とすることも可能である。
さらに、この弾性被覆部２３の他例としては、キャップ本体部２１とは別体に成形されたものを、キャップ本体部２１に対し装着するようにしてもよい。
【００３２】
また、キャップ本体部２１内周面の開口端側（図３によれば右端側）には、キャップ２０が軸筒１０に嵌め合わせられる際、軸筒１０の環状突起１１ｃ（図１参照）を軸方向へ乗り越えるように、乗越え突起２１ｉが設けられる。この突起２１ｉは、緩やか傾斜面を有する断面山形の突起であり、キャップ周方向に間隔を置いて複数（図示例によれば四つ）設けられている。
【００３３】
また、キャップ本体部２１内周面には、キャップ軸方向へわたる縦リブ２１ｊが、周方向へ略等間隔を置いて複数設けられる。これら複数の縦リブ２１ｊは、キャップ２０内周面と軸筒１０外周面との当接力を、周方向に略均等に分散することで、キャップ２０内周面と軸筒１０外周面とを安定した接触状態に保持する。
【００３４】
また、キャップ本体部２１の外周面には、略半球状の突起２１ｈが、キャップ軸方向へ間隔を置いて複数設けられる（図３参照）。これら突起２１ｈは、キャップ本体部２１及び当該キャップ付き筆記具１が平坦面上に載置された際に、転がり防止として作用する。
【００３５】
挿入阻止部２２は、内キャップ２１ａに接続される接続部２２ａと、該接続部２２ａから延設されたガイド部２２ｂとを具備し、ガイド部２２ｂの自由端側を、変形部２１ｂ１の内面に対し、近接又は接触させている。
【００３６】
接続部２２ａは、内キャップ２１ａの外周面に沿う略円筒状に形成され、その内周面には、軸筒軸方向へ伸びる突部２２ａ１を、周方向に間隔を置いて複数有する。
各突部２２ａ１は、略円筒状の接続部２２ａの前端部から後方へ離れた位置に設けられ、内キャップ２１ａ外周面に圧接されるように形成される。接続部２２ａ内周面における突部２２ａ１よりも前側の部分は、内キャップ２１ａの最大径よりも若干大きい外径に形成される。
これらの構成によれば、接続部２２ａを内キャップ２１ａに対し環状に装着する際、内キャップ２１ａの先端側外周部が、接続部２２ａ内にスムーズに挿入さされ、接続部２２ａ内の複数の突部２２ａ１が内キャップ２１ａ外周部に圧接されることで、接続部２２ａが、軸筒軸方向及び周方向へ移動しないように固定される。
【００３７】
また、ガイド部２２ｂは、筆記部３０を内キャップ２１ａ内へ案内するように軸筒側（図３によれば右方向側）へ向かって拡径する略円錐状に形成される。
このガイド部２２ｂの自由端部は、図示例によれば、変形部２１ｂ１の内面に対し、略接触に近い状態で近接している。そして、このガイド部２２ｂには、該ガイド部２２ｂを周方向に分割するようにして、筆記部３０を挿通不能な幅のスリット２２ｂ１が、周方向に間隔を置いて複数設けられる。
各スリット２２ｂ１は、図示例によれば、ガイド部２２ｂの後端（図３によれば右端）から、該ガイド部２２ｂの軸方向長さの略中央よりも前側にいたる長さに形成される。
【００３８】
なお、図１中、符号３０は、インクを毛細管力によって前方へ導く筆記部、符号４０は、インクを含浸した中綿であり筆記部３０の後端側が挿入されている。
【００３９】
次に、上記構成のキャップ付き筆記具１について、その特徴的な作用効果を詳細に説明する。
図５（ａ）に示すように、軸筒１０にキャップ２０を装着した状態では、変形部２１ｂ１の外表面の最大径部分（自由端部の外縁部）が、キャップ本体部２１の外キャップ２１ｂ周壁の外表面と略面一であるため、例えば、搬送中に当該キャップ付き筆記具１が梱包箱等に当接したとしても、変形部２１ｂ１が押されてキャップ２０が外れてしまうようなことがない。
【００４０】
また、軸筒１０からキャップ２０を外す際には、例えば、図５（ｂ）に示すように、変形部２１ｂ１から第１の逃し凹部２１ｂ３にわたる範囲が、指ｆ，ｆによって摘まれて押圧されると、指ｆの先端側が第１の逃し凹部２１ｂ３内へ若干沈み込むとともに、同指ｆの腹部分は第２の逃し凹部２１ｂ４（図２参照）内へ沈み込み、変形部２１ｂ１がキャップ内側へ撓む。
したがって、仮に逃し凹部２１ｂ３，２１ｂ４がない場合と比較し、変形部２１ｂ１の撓み量を大きく確保することができる。
【００４１】
そして、変形部２１ｂ１の前記撓みに伴って、挿入阻止部２２のガイド部２２ｂも、内キャップ２１ａ内側へ撓む。この際、ガイド部２２ｂは、後端部を変形部２１ｂ１内面に摺接させるとともに、各スリット２２ｂ１を狭めながら、滑らか且つスムーズに弾性変形する（図５及び図６参照）。
同時に、変形部２１ｂ１は、若干弓なりに変形する（図５（ｂ）参照）
【００４２】
そして、撓んだ変形部２１ｂ１は、自由端部の内縁側の複数の凹凸部２１ｅを、軸筒１０先端の傾斜面１１ａに摺接させることで、軸筒１０を後方へ押動する。そのため、外キャップ２１ｂ内周面の乗越え突起２１ｉ（図３参照）と軸筒１０外周面の環状突起１１ｃとの乗越え嵌合状態が解除されて、キャップ２０が軸筒１０から前方へ外れる（図５（ｂ）参照）。
この際、若干弓なりに変形した変形部２１ｂ１が弾性的に復元する際の弾発力によって、軸筒１０が後方へ弾かれるようにして、キャップ２０が前方へ抜ける。
【００４３】
また、軸筒１０にキャップ２０を嵌める際には、キャップ２０の内キャップ２１ａと外キャップ２１ｂの間に筆記部３０が侵入してしまうのを、挿入阻止部２２によって阻むことができる上、キャップ２０内へ挿入される筆記部３０を、挿入阻止部２２のガイド部２２ｂによって、内キャップ２１ａ内へスムーズに導くことができる。
【００４４】
よって、本実施の形態のキャップ付き筆記具１によれば、不使用時にキャップ２０が外れてしまうのを防ぐことができる上、使用時には、比較的軽い摘み操作でキャップ２０を外すことができ、キャップ２０を装着する際も抵抗が少なく、着脱操作性が良好である。
【００４５】
また、図２（ａ）に示すように、弾性被覆部２３を有する場合は、変形部２１ｂ１を押圧操作する指ｆが滑るのを防止したり、切欠部２１ｂ２から異物が侵入するのを防止したり等、更なる作用効果を奏する。
【００４６】
なお、上記実施例によれば、変形部２１ｂ１を片持ち梁状に形成したが、この変形部は、外方からの押圧操作によりキャップ内側へ変形可能に構成されていればよく、他例としては、キャップ本体部２１における外キャップ２１ｂの一部又は全部を弾性を有する材料からなる変形部（図示せず）とし、この変形部がキャップ内側へ変形して軸筒１０を押圧して外すようにすることも可能である。
【００４７】
また、上記実施例によれば、変形部２１ｂ１を径方向に対向するように二つ設けたが、他例としては、変形部２１ｂ１を単数又は三以上設けることも可能である。
【００４８】
また、上記実施例によれば、挿入阻止部２２におけるガイド部２２ｂの後端を、変形部２１ｂ１内面に対し、略接触に近い状態で近接させたが、他例としては、ガイド部２２ｂの後端を変形部２１ｂ１内面に接触させた態様や、ガイド部２２ｂ後端と変形部２１ｂ１内面の間に筆記部３０が挿入不能な程度の隙間を置くようにして、ガイド部２２ｂ後端を変形部２１ｂ１内面に近接させた態様等とすることも可能である。
【００４９】
また、上記実施例によれば、挿入阻止部２２におけるガイド部２２ｂを弾性変形を良好にする態様として、周方向に略等間隔に複数のスリット２２ｂ１を設けたが、他例としては、単数のスリット２２ｂ１を設けた態様や、上記実施例からスリット２２ｂ１を省いた態様、キャップ本体部２１における外キャップ２１ｂの切欠部２１ｂ２に対応する位置のみにスリット２２ｂ１を設けた態様等とすることも可能である。
【００５０】
また、上記実施例によれば、逃し凹部２１ｂ３を外キャップ２１ｂ周壁の外表面に配置したが、他例としては、変形部２１ｂ１の自由端部を外キャップ２１ｂ後側の開口端部に略一致させるとともに、この自由端部に対し、その後方側から隣接するようにして、軸筒１０周壁の外表面に逃し凹部（図示せず）を設けるようにしてもよい。
【００５１】
また、図示例では、所謂中綿式筆記具を構成したが、他例としては、インクタンク内のインクを前方へ導いて筆記部から吐出する直液式筆記具や、インク収容管内のインクをチップ先端から突出するようにしたボールペン、修正ペン等を構成することも可能である。
【００５２】
また、図示例では、軸筒軸方向の一方側のみに筆記部３０及びキャップ２０を有する単頭式の筆記具１を構成したが、他例としては、軸筒軸方向の一方側に太書き用として上記筆記部３０及びキャップ２０を有するとともに、他方側に細書き用として同構造の筆記部及びキャップを有する両頭式の筆記具（図示せず）を構成するようにしてもよい。
【符号の説明】
【００５３】
１：キャップ付き筆記具                １０：軸筒
１１ａ：傾斜面                        ２０：キャップ
２１：キャップ本体部                  ２１ａ：内キャップ
２１ｂ：外キャップ                    ２１ｂ１：変形部
２１ｂ２：切欠部                      ２２：挿入阻止部
２２ａ：接続部                        ２２ｂ：ガイド部
２２ｂ１：スリット
３０：筆記部
【図１】
0005941739.tif 000002
【図２】
0005941739.tif 000003
【図３】
0005941739.tif 000004
【図４】
0005941739.tif 000005
【図５】
0005941739.tif 000006
【図６】
0005941739.tif 000007